(57)【要約】  【課題】一次流通経路とバーナーユニットの導入口との接合箇所や、バーナーユニット自体を構成する部材の接合箇所などからバーナーユニット間の空間へと、バーナーユニット内の混合気が漏洩することを防止して燃焼状態を良好に保つこと。  【解決手段】第１仕切板４０は、バーナーユニット１０の導入口１１，１３が配置された領域よりも二次空気の下流側に配置されているため、第１仕切板４０に仕切られた二次空気の上流側は、第１仕切板４０が抵抗となるために圧力が高まり、導入口１１，１３からバーナーユニット１０内に至る領域およびバーナーユニット１０内の圧力と、バーナーユニット１０同士の間に形成された空間において第１仕切板４０で仕切られた二次空気の上流側の圧力と、の圧力差は小さくなる。これにより、バーナーユニット１０同士の間に形成された空間へとバーナーユニット１０内の混合気が漏洩することが防止される。【選択図】図２
2011080613.tif 000002
【特許請求の範囲】
【請求項１】
それぞれが、導入口から燃料ガスおよび一次空気を導入し、これらの混合気を炎口から噴出させて点火することにより前記炎口に火炎を形成させる複数のバーナーユニットと、
前記バーナーユニットそれぞれを、隣接する前記バーナーユニット同士の間隔が一定となる位置関係で並べて収納すると共に、開口部から流入する燃焼用空気のうちの一次空気を前記バーナーユニットそれぞれの導入口へ流通させる一次流通経路、および、前記燃焼用空気のうちの二次空気を前記バーナーユニット同士の間に形成された空間それぞれへと流通させる二次流通経路が形成されている収納ケースと、
前記収納ケースの開口部に燃焼用空気を供給するファンと、
前記バーナーユニット同士の間に形成された空間のうち、１以上の空間それぞれにつき、該空間において前記バーナーユニットの導入口が配置された領域よりも二次空気の下流側に配置されるとともに、二次空気を流通させるための流通孔が１以上形成されている第１仕切板と、を備えている
ことを特徴とする燃焼装置。
【請求項２】
前記バーナーユニット同士の間に形成された空間のうち、１以上の空間と前記二次流通経路との間に配置された第２仕切板を備えており、
前記第２仕切板は、前記導入口が配置された領域よりも二次空気の上流側に配置されるとともに、二次空気を流通させるための流通孔が１以上形成されている
ことを特徴とする請求項１に記載の燃焼装置。
【請求項３】
前記第２仕切板の流通孔は、該流通孔の総面積が、全ての前記第１仕切板に形成された流通孔の総面積よりも大きくなるように形成されている
ことを特徴とする請求項２に記載の燃焼装置。
【請求項４】
前記第１仕切板は、二次空気が流通する方向に沿った前記バーナーユニットの長さにおける少なくとも１０％に相当する距離だけ、前記バーナーユニットの炎口から二次空気の上流側に離された位置に配置されている
ことを特徴とする請求項１から３のいずれかに記載の燃焼装置。
【請求項５】
前記バーナーユニットは、二次空気の流通方向に沿って並べられた淡側導入口および濃側導入口それぞれから燃料ガスおよび一次空気を導入し、これらの混合気を淡側炎口および濃側炎口それぞれから噴出させており、
前記第１仕切板は、前記バーナーユニット同士の間に形成された空間において、少なくとも前記バーナーユニットの淡側導入口および濃側導入口が配置された領域よりも二次空気の下流側に配置されている
ことを特徴とする請求項１から４のいずれかに記載の燃焼装置。
【請求項６】
前記第１仕切板には、該第１仕切板の長手方向に沿って１以上の流通孔が形成され、
前記第１仕切板の流通孔は、全ての前記第１仕切板に形成された流通孔の総面積が、全ての前記バーナーユニットの淡側炎口および濃側炎口の総面積よりも小さくなるように形成されている
ことを特徴とする請求項５に記載の燃焼装置。
【発明の詳細な説明】
【技術分野】
【０００１】
本発明は、複数のバーナーユニットそれぞれを収納ケース内に一定間隔で並べて収納した強制燃焼装置に関する。
【背景技術】
【０００２】
強制燃焼装置は、ファンにより供給された燃焼用空気のうち、一次空気を各バーナーユニットの導入口へ導入させ、二次空気をバーナーユニット同士の間に形成された空間それぞれに流通させるように構成されている（特許文献１参照）。
【先行技術文献】
【特許文献】
【０００３】
【特許文献１】特開平０７−３３２６０８号
【発明の概要】
【発明が解決しようとする課題】
【０００４】
しかし、上述した構成では、バーナーユニットの導入口に、ノズルから噴出される燃料ガスと一次空気との混合気が導入されるため、導入口からバーナーユニット内に至る領域およびバーナーユニット内の圧力が、バーナーユニット同士の間に形成された空間よりも高くなり、大きな圧力差が生じている。
【０００５】
また、バーナーユニットは、炎口に形成される火炎により高温となるため、バーナーユニット外を流通する二次空気よりも、閉じられたバーナーユニット内を流通する混合気に対して大きな温度上昇がもたらされるが、この温度上昇に基づく熱膨張によっても、バーナーユニット内とバーナーユニット同士の間に形成された空間との圧力差が大きくなる。
【０００６】
このように圧力差が大きくなる構成では、圧力差を縮めようとして圧力の高い側から低い側へとバーナーユニット内の混合気が流れようとするため、一次空気が流通する一次流通経路とバーナーユニットの導入口との接合箇所や、バーナーユニット自体を構成する部材の接合箇所などにおける極小さなすき間からバーナーユニット間の空間へと、バーナーユニット内の混合気が漏れ出てしまう恐れがある。
【０００７】
このようにバーナーユニット内の混合気がバーナーユニット間の空間へと漏れてしまうことは、この混合気がバーナーユニット間の空間を経て燃焼室内でも充分に燃焼されずに未燃のまま装置外部まで漏れてしまう可能性がある。このような混合気が基準値以上のハイドロカーボンとして検出されるようになると、燃焼装置として燃焼不良であると判定しなければならなくなってしまう。また、混合気の漏れる量が多くなると、その混合気の不完全燃焼によってアルデヒドやハイドロカーボンなど刺激臭や有毒性のある中間生成物が発生し、これらが装置外に排出されてしまうため、好ましいことではない。
【０００８】
そして、上記のような混合気の漏洩によりガス濃度が乱れてしまうと、良好な燃焼状態を保てなくなる恐れがある。
本発明は、このような課題を解決するためになされたものであり、その目的は、一次流通経路とバーナーユニットの導入口との接合箇所や、バーナーユニット自体を構成する部材の接合箇所などからバーナーユニット間の空間へと、バーナーユニット内の混合気が漏洩することを防止し、これにより、燃焼状態を良好に保つための技術を提供することである。
【課題を解決するための手段】
【０００９】
上記課題を解決するため第１の構成（請求項１）は、それぞれが、導入口から燃料ガスおよび一次空気を導入し、これらの混合気を炎口から噴出させて点火することにより前記炎口に火炎を形成させる複数のバーナーユニットと、前記バーナーユニットそれぞれを、隣接する前記バーナーユニット同士の間隔が一定となる位置関係で並べて収納すると共に、開口部から流入する燃焼用空気のうちの一次空気を前記バーナーユニットそれぞれの導入口へ流通させる一次流通経路、および、前記燃焼用空気のうちの二次空気を前記バーナーユニット同士の間に形成された空間それぞれへと流通させる二次流通経路が形成されている収納ケースと、前記収納ケースの開口部に燃焼用空気を供給するファンと、前記バーナーユニット同士の間に形成された空間のうち、１以上の空間それぞれにつき、該空間において前記バーナーユニットの導入口が配置された領域よりも二次空気の下流側に配置されるとともに、二次空気を流通させるための流通孔が１以上形成されている第１仕切板と、を備えている。
【００１０】
このように構成された燃焼装置によれば、バーナーユニット同士の間に形成された１以上の空間それぞれに第１仕切板が配置されているが、この第１仕切板は、バーナーユニットの導入口が配置された領域よりも二次空気の下流側に配置されている。
【００１１】
そのため、バーナーユニット同士の間に形成された空間のうち、第１仕切板に仕切られた二次空気の上流側は、第１仕切板が抵抗となるために、この第１仕切板を配置していない構成と比べて圧力が高められる。これにより、導入口からバーナーユニット内に至る領域およびバーナーユニット内の圧力と、バーナーユニット同士の間に形成された空間において第１仕切板で仕切られた二次空気の上流側の圧力と、の圧力差は小さくなる。
【００１２】
このように圧力差が小さくなることで、バーナーユニットの導入口と一次流通経路との接合箇所や、バーナーユニット自体を構成する部材の接合箇所などからバーナーユニット同士の間に形成された空間へと、圧力の高い側から低い側へ向かうバーナーユニット内の混合気の流れが生じにくくなるため、混合気が漏洩することを防止できる。
【００１３】
こうして、バーナーユニット同士の間に形成された空間へと混合気が漏洩してしまうことを防止することにより、混合気が未燃のまま装置外部に漏洩することを防止することができる。また、バーナーユニット内のガス濃度を安定させることもできるので、燃焼状態を良好に保つことができる。
【００１４】
また、この構成においては、以下に示す第２の構成（請求項２）のようにしてもよい。
第２の構成では、前記バーナーユニット同士の間に形成された空間のうち、１以上の空間と前記二次流通経路との間に配置された第２仕切板を備えており、前記第２仕切板は、前記導入口が配置された領域よりも二次空気の上流側に配置されるとともに、二次空気を流通させるための流通孔が１以上形成されている。そして、該流通孔は、開口部から流入する二次空気量の分布に合わせて、大きさ、数、位置が適宜決められる。
【００１５】
この構成であれば、第１の構成に加え、第２仕切板により、バーナーユニット同士の間に形成された空間それぞれ、および、これら空間同士における二次空気量の分布を均一化させることができるため、第１仕切板により圧力差を小さくするだけでなく、この圧力差の分布を第２仕切板によりなくすことができる。
【００１６】
この構成において、第２仕切板における流通孔は、第３の構成（請求項３）のように、該流通孔の総面積が、全ての前記第１仕切板に形成された流通孔の総面積よりも大きくなるように形成されている、ことが望ましい。
【００１７】
この構成であれば、第２仕切板、第１仕切板の順番で段階的に二次空気のベクトル（流れ）を調整できるため、バーナーユニットの炎口において燃焼に必要な二次空気量を確保しつつ、第１仕切板と第２仕切板とで仕切られた空間の圧力を調整することができる。
【００１８】
また、上記各構成において、第２仕切板は、バーナーユニット同士の間に形成された空間のうち、１以上の空間全てと二次流通経路との間に配置された１枚の板状部材として構成してもよいし、１以上の空間に対して個別に配置された１以上の板状部材それぞれとして構成してもよい。
【００１９】
ところで、上記各構成において、第１仕切板は、バーナーユニット同士の間に形成された空間において導入口が配置された領域よりも二次空気の下流側に配置されていればよく、その具体的な位置は特に限定されない。
【００２０】
ただ、上記各構成のように第１仕切板を二次空気の下流側に配置した場合、この第１仕切板の流通孔を通った二次空気がバーナーユニットの炎口に供給されるため、炎口に到達するまでに二次空気が充分に拡散していることが、良好な燃焼状態を保つ観点から望ましい。
【００２１】
このためには、上記各構成を、例えば、以下に示す第４の構成（請求項４）のようにすることが考えられる。
第４の構成において、前記第１仕切板は、二次空気が流通する方向に沿った前記バーナーユニットの長さにおける少なくとも１０％に相当する距離だけ、前記バーナーユニットの炎口から二次空気の上流側に離された位置に配置されている。
【００２２】
この構成であれば、第１仕切板からバーナーユニットの炎口までが充分に離れているため、第１仕切板の流通孔を通った二次空気を炎口に到達するまでに拡散させることができる。
【００２３】
また、上記各構成において、バーナーユニットが、二次空気の流通方向に沿って並べられた淡側導入口および濃側導入口それぞれから燃料ガスおよび一次空気を導入し、これらの混合気を淡側炎口および濃側炎口それぞれから噴出させるように構成されている場合には、以下に示す第５の構成（請求項５）のようにするとよい。
【００２４】
この構成において、前記バーナーユニットは、二次空気の流通方向に沿って並べられた淡側導入口および濃側導入口それぞれから燃料ガスおよび一次空気を導入し、これらの混合気を淡側炎口および濃側炎口それぞれから噴出させており、前記第１仕切板は、前記バーナーユニット同士の間に形成された空間において、少なくとも前記バーナーユニットの淡側導入口および濃側導入口が配置された領域よりも二次空気の下流側に配置されている。
【００２５】
この構成であれば、第１仕切板は、バーナーユニットの淡側導入口および濃側導入口が配置された領域よりも二次空気の下流側に配置されている。そのため、バーナーユニット同士の間に形成された空間のうち、第１仕切板に仕切られた二次空気の上流側は、第１仕切板が抵抗となるために、この第１仕切板を配置していない構成と比べて圧力が高められる。これにより、淡側導入口および濃側導入口からバーナーユニット内に至る領域およびバーナーユニット内の圧力と、バーナーユニット同士の間に形成された空間において第１仕切板で仕切られた二次空気の上流側の圧力と、の圧力差は小さくなる。
【００２６】
このように圧力差が小さくなることで、バーナーユニットの淡側導入口および濃側導入口と一次流通経路との接合箇所や、バーナーユニット自体を構成する部材の接合箇所などからバーナーユニット同士の間に形成された空間へと、圧力の高い側から低い側へ向かうバーナーユニット内の混合気の流れが生じにくくなるため、混合気が漏洩することを防止できる。
【００２７】
また、上記各構成における第１仕切板の流通孔は、下流側に二次空気を流通させることができればよく、その孔の数や、形状などについては、特に限定されないが、例えば、第６の構成（請求項６）のようにすることが考えられる。
【００２８】
第６の構成において、前記第１仕切板には、該第１仕切板の長手方向に沿って１以上の流通孔が形成され、前記第１仕切板の流通孔は、全ての前記第１仕切板に形成された流通孔の総面積が、全ての前記バーナーユニットの淡側炎口および濃側炎口の総面積よりも小さくなるように形成されている。
【００２９】
この構成であれば、バーナーユニットの淡側炎口および濃側炎口それぞれから噴出される混合気は、少なくとも第１仕切板に形成された流通孔を介してバーナーユニットの炎口に到達する二次空気より低い圧力で噴出することがなくなる。
【００３０】
これにより、第１仕切板に形成された流通孔を介してバーナーユニットの炎口に到達した二次空気の圧力が相対的に小さくなるため、二次空気の流通経路に隣接する濃側炎口それぞれに形成された火炎が、この濃側炎口に到達した二次空気に吹き消されるという事態を未然に防止できる。
【図面の簡単な説明】
【００３１】
【図１】燃焼装置の上面図および正面図
【図２】燃焼装置の正面断面図（図１のＡ−Ａ断面図）および側面断面図（図１のＢ−Ｂ断面図）
【図３】燃焼装置要部の斜視図
【図４】第１仕切板を示す上面図および側面断面図
【図５】別の実施形態における燃焼装置の正面断面図（図１のＡ−Ａ断面図）および側面断面図（図１のＢ−Ｂ断面図）
【発明を実施するための形態】
【００３２】
以下に本発明の実施形態を図面と共に説明する。
（１）全体構成
燃焼装置１は、図１に示すように、複数のバーナーユニット１０と、バーナーユニット１０それぞれを並べて収納する収納ケース２０と、収納ケース２０内に燃焼用空気を供給するファン３０と、を備えた強制燃焼装置である。
【００３３】
バーナーユニット１０は、図２に示すように、ガス流路の上流側に設けられた導入口１１，１３から燃料ガスおよび一次空気を導入し、これらの混合気をガス流路の下流側に設けられた炎口１５，１７から噴出させて点火することにより、炎口１５，１７に火炎を形成させるように構成されている。
【００３４】
本実施形態において、バーナーユニット１０は、二次空気の流通方向に沿って並べられた淡側導入口１１および濃側導入口１３それぞれから燃料ガスおよび一次空気を導入し、これらの混合気を、バーナーユニット１０内のガス流路を経て淡側炎口１５および濃側炎口１７から噴出させるように構成されている。
【００３５】
収納ケース２０には、前後方向に延びる炎口１５，１７の並ぶ方向を揃えたバーナーユニット１０それぞれが、バーナーユニット１０同士の間隔が一定となる位置関係で並べて収納されている。
【００３６】
また、この収納ケース２０には、図２に示すように、ファン３０を介して開口部２１から供給される燃料用空気のうちの一次空気を矢印１００のようにバーナーユニット１０それぞれの導入口１１，１３へ流通させる一次流通経路、および、燃料用空気のうちの二次空気を矢印２００のようにバーナーユニット１０同士の間に形成された空間それぞれへと流通させる二次流通経路が形成されている。
【００３７】
さらに、この収納ケース２０には、バーナーユニット１０同士の間に形成された空間に配置された板状の第１仕切板４０と、バーナーユニット１０同士の間に形成された空間と二次流通経路との間に配置された板状の第２仕切板５０と、二次流通経路内に配置された整流板６０と、が設けられている。
【００３８】
第１仕切板４０は、図３（ａ）に示すように、バーナーユニット１０同士の間に形成された空間のうち、１以上の空間（本実施形態では全ての空間）それぞれに、この空間においてバーナーユニット１０の導入口１１，１３が配置された領域よりも二次空気の下流側に配置されている。
【００３９】
そして、第１仕切板４０それぞれは、バーナーユニット１０において二次空気が流通する方向の長さの少なくとも１０％（本実施形態では２５％）に相当する距離だけ、バーナーユニット１０の炎口１５，１７（具体的には炎口１５，１７の上端部）から二次空気の上流側に離された位置に配置されている。この距離は、後述する流通孔４２を介してバーナーユニット１０の炎口１５，１７に到達する二次空気が、炎口１５，１７に到達するまでに充分に拡散できる距離として定められたものである。
【００４０】
こうして、第１仕切板４０は、バーナーユニット１０同士の間に形成された空間を、導入口１１，１３が配置された領域を含む二次空気の上流側領域、および、この上流側領域よりも二次空気の下流側領域に分けている。
【００４１】
なお、この第１仕切板４０は、収納ケース２０正面の側板２３に取り付けられた正面側板状部材４４と、収納ケース２０背面の側板２５に取り付けられた背面側板状部材４６と、からなり、図３（ｂ）に示すように、この収納ケース２０背面の側板２５を収納ケース２０本体に取り付けるに際し、背面側板状部材４６それぞれをバーナーユニット１０の間に形成された空間に通して正面側板状部材４４に到達させることにより、第１仕切板４０が形成される。
【００４２】
さらに、この第１仕切板４０には、図４に示すように、上流側領域から下流側領域に向けて二次空気を流通させるための流通孔４２が、第１仕切板４０の長手方向に沿って複数形成されている。ここで、同一の第１仕切板４０に形成された流通孔４２それぞれは、流通孔４２を介してバーナーユニット１０の炎口１５，１７に到達する二次空気を、炎口１５，１７に到達するまでに拡散させるのに適した形状（本実施形態では円形）および間隔で形成されている。
【００４３】
ここで、第１仕切板４０の流通孔４２は、全ての第１仕切板４０に形成された流通孔４２の総面積Ｐ１が、全てのバーナーユニット１０の炎口１５，１７の総面積Ｐｘよりも小さくなるように形成されている（Ｐ１＜Ｐｘ）。
【００４４】
なお、ここでいう総面積Ｐ１とは、各流通孔４２において二次空気の流通方向と交差する平面における面積を、全ての第１仕切り板４０における全ての流通孔４２について合計したものである。また、総面積Ｐｘとは、各炎口１５，１７において混合気の流通方向と交差する平面における面積を、全てのバーナーユニット１０における全ての炎口１５，１７について合計したものである。
【００４５】
第２仕切板５０は、図２に示すように、二次流通経路において整流板６０が配置された領域から、バーナーユニット１０同士の間に形成された空間へと至る領域であって、この領域において導入口１１，１３が配置された領域よりも二次空気の上流側に配置されている。こうして、第２仕切板５０は、二次流通経路と、バーナーユニット１０同士の間に形成された空間と、を分けている。
【００４６】
さらに、この第２仕切板５０は、図２（ｂ）に示すように、二次流通経路からバーナーユニット１０同士の間の空間に向けて二次空気を流通させるための流通孔５２が複数形成されている。この流通孔５２は、バーナーユニット１０同士の間に形成された空間それぞれ、および、これらの空間同士における二次空気量が均一になるように、数、大きさ、位置が決められている。
【００４７】
具体的にいえば、燃焼用空気の流入する開口部２１に近く、二次空気量が多い部分では、流通孔５２の数を少なくしたり、各流通孔５２を小さく形成する。また、開口部２１から離れ、二次空気量が少ない部分では、流通孔５２の数を多くしたり、各流通孔５２を大きく形成する。
【００４８】
整流板６０は、図２に示すように、二次流通経路においてバーナーユニット１０同士の間に形成された空間へと至る領域に配置されている。また、この整流板６０は、収納ケース２０の正面側および背面側にそれぞれ１以上の流通孔６２が形成されており、開口部２１から流入した燃焼用空気のうちの二次空気をスムーズに二次流通経路へ導く（流通させる）ように設けられている。
【００４９】
以上説明した第１仕切板４０の流通孔４２、第２仕切板５０の流通孔５２、および、整流板６０の流通孔６２は、これら流通孔の面積が、整流板６０における全ての流通孔６２の総面積Ｐ０、第２仕切板５０における全ての流通孔５２の総面積Ｐ２、全ての第１仕切板４０に形成された流通孔４２の総面積Ｐ１、の順に大きくなる（Ｐ１＜Ｐ２＜Ｐ０）ように構成されている。
【００５０】
なお、ここでいう総面積Ｐ０とは、各流通孔６２において二次空気の流通方向と交差する平面における面積を、全ての流通孔６２について合計したものである。また、総面積Ｐ２とは、各流通孔５２において二次空気の流通方向と交差する平面における面積を、全ての流通孔５２について合計したものである。
（２）作用，効果
このように構成された燃焼装置１によれば、バーナーユニット１０同士の間に形成された１以上の空間それぞれに第１仕切板４０が配置されているが、この第１仕切板４０は、バーナーユニット１０の淡側導入口１１および濃側導入口１３が配置された領域よりも二次空気の下流側に配置されている。
【００５１】
そのため、バーナーユニット１０同士の間に形成された空間のうち、第１仕切板４０に仕切られた二次空気の上流側は、第１仕切板４０が抵抗となるために、この第１仕切板４０を配置していない構成と比べて圧力を高められる。これにより、淡側導入口１１および濃側導入口１３からバーナーユニット１０内に至る領域およびバーナーユニット１０内の圧力と、バーナーユニット１０同士の間に形成された空間において第１仕切板４０で仕切られた二次空気の上流側の圧力と、の圧力差は小さくなる。
【００５２】
このように圧力差が小さくなることで、バーナーユニット１０の淡側導入口１１および濃側導入口１３と一次流通経路との接合箇所や、バーナーユニット１０自体を構成する部材の接合箇所などからバーナーユニット１０同士の間に形成された空間へと、圧力の高い側から低い側へ向かうバーナーユニット１０内の混合気の流れが生じにくくなるため、混合気が漏洩することを防止できる。
【００５３】
こうして、バーナーユニット１０同士の間に形成された空間へと混合気が漏洩してしまうことを防止することにより、混合気が未燃のまま装置外部に漏洩することを防ぐことができる。また、バーナーユニット内の混合気におけるガス濃度を安定させることもできるので、燃焼状態を良好に保つことができる。
【００５４】
また、上記構成であれば、第２仕切板５０により、バーナーユニット１０同士の間に形成された空間それぞれ、および、これら空間同士における二次空気量の分布を均一化させることができるため、第１仕切板４０により圧力差を小さくするだけでなく、この圧力差の分布を第２仕切板５０によりなくすことができる。
【００５５】
また、上記構成において、第２仕切板５０における流通孔５２は、この流通孔５２の総面積Ｐ２が、全ての第１仕切板４０に形成された流通孔４２の総面積Ｐ１よりも大きくなるように形成されているため、第２仕切板５０、第１仕切板４０の順番で段階的に二次空気のベクトル（流れ）を調整できる。これにより、バーナーユニット１０の炎口１５，１７において燃焼に必要な二次空気量を確保しつつ、第１仕切板４０と第２仕切板５０とで仕切られた空間の圧力を調整することができる。
【００５６】
また、上記構成であれば、第１仕切板４０からバーナーユニット１０の炎口１５，１７までが充分に離れているため、第１仕切板４０の流通孔を通った二次空気を炎口１５，１７に到達するまでに拡散させることができる。
【００５７】
また、上記構成において、第１仕切板４０の流通孔４２は、全ての第１仕切板４０に形成された流通孔４２の総面積Ｐ１が、全てのバーナーユニット１０の淡側炎口１５および濃側炎口１７の総面積Ｐｘよりも小さくなるように形成されている。
【００５８】
これにより、バーナーユニット１０の炎口１５，１７それぞれから噴出される混合気は、少なくとも第１仕切板４０に形成された流通孔を介してバーナーユニット１０の炎口１５，１７に到達する二次空気より低い圧力で噴出することがなくなる。
【００５９】
こうして、第１仕切板４０に形成された流通孔４２を介してバーナーユニット１０の炎口１５，１７に到達した二次空気の圧力が相対的に小さくなるため、二次空気の流通経路に隣接する濃側炎口１７それぞれに形成された火炎が、この濃側炎口１７に到達した二次空気に吹き消されるという事態を未然に防止できる。
（３）変形例
以上、本発明の実施の形態について説明したが、本発明は、上記実施形態に何ら限定されることはなく、本発明の技術的範囲に属する限り種々の形態をとり得ることはいうまでもない。
【００６０】
例えば、上記実施形態においては、第１仕切板４０の長手方向に沿って複数の流通孔４２が形成されているが、この流通孔４２は、第１仕切板４０の長手方向に延びる１つの長孔として形成してもよい。
【００６１】
また、上記実施形態においては、第１仕切板４０に円形の流通孔４２が形成されているが、この流通孔４２は、二次空気を拡散させるのに適した形状であれば、円形に限られない。
【００６２】
また、上記実施形態において、第２仕切板５０は、バーナーユニット１０同士の間に形成された空間のうち、１以上の空間全てと二次流通経路との間に配置された１枚の板状部材として構成されている。しかし、この第２仕切板５０は、１以上の空間に対して個別に配置された１以上の板状部材それぞれとしてもよい。
【００６３】
また、上記実施形態においては、収納ケース２０内に第１仕切板４０と第２仕切板５０とが両方備えられている構成を例示したが、図５に示すように、第２仕切板５０を備えていない構成としてもよい。
【符号の説明】
【００６４】
１…燃焼装置、１０…バーナーユニット、１１…淡側導入口、１３…濃側導入口、１５…淡側炎口、１７…濃側炎口、２０…収納ケース、２１…開口部、２３…側板、２５…側板、３０…ファン、４０…第１仕切板、４２…流通孔、４４…正面側板状部材、４６…背面側板状部材、５０…第２仕切板、５２…流通孔、６０…整流板、６２…流通孔。
【図１】
2011080613.tif 000003
【図２】
2011080613.tif 000004
【図３】
2011080613.tif 000005
【図４】
2011080613.tif 000006
【図５】
2011080613.tif 000007
【手続補正書】
【提出日】平成21年10月9日(2009.10.9)
【手続補正１】
【補正対象書類名】明細書
【補正対象項目名】０００７
【補正方法】変更
【補正の内容】
【０００７】
このようにバーナーユニット内の混合気がバーナーユニット間の空間へと漏れてしまうことは、この混合気がバーナーユニット間の空間を経て燃焼室内でも充分に燃焼されずに未燃のまま装置外部まで漏れてしまう。このような混合気が基準値以上のハイドロカーボンとして検出されるようになると、燃焼装置として燃焼不良であると判定しなければならなくなってしまう。また、混合気の漏れる量が多くなると、その混合気の不完全燃焼によってアルデヒドやハイドロカーボンなど刺激臭や有毒性のある中間生成物が発生し、これらが装置外に排出されてしまうため、好ましいことではない。
【手続補正２】
【補正対象書類名】明細書
【補正対象項目名】００１６
【補正方法】変更
【補正の内容】
【００１６】
この構成において、第２仕切板における流通孔は、第３の構成（請求項３）のように、該流通孔の総面積が、全ての前記第１仕切板に形成された流通孔の総面積よりも大きくなるように形成されている。